(57)【要約】【課題】最も高い周波数帯または特定の無線システムの受信信号について伝送損失を低減することのできる高周波スイッチモジュール、無線装置を提供すること。【解決手段】この高周波スイッチモジュールは、アンテナへの接続線路（１８）を第１の無線システムの受信部（２７ｃ）および第１の線路（１９ａ）のいずれかに接続する第１の高周波スイッチ部（２１）と、第１の線路（１９ａ）に伝送される信号を、第１および第２の周波数の信号と第３の周波数の信号とに分離してそれぞれ第２および第３の線路（１９ｂ，１９ｃ）に出力するダイプレクサ（１４）と、第２の線路（１９ｂ）を第１および第２の無線システムの共通する送信部（２７ａ）および第２の無線システムの受信部（２７ｂ）のいずれかに接続する第２の高周波スイッチ（１２）と、第３の線路（１９ｃ）を第３の無線システムの送信部（２８ａ）および受信部（２８ｂ）のいずれかに接続する第３の高周波スイッチ（１３）とを具備する。【選択図】      図２
2005033324.tif 000002
【特許請求の範囲】
【請求項１】
第１乃至第３の周波数をそれぞれ用いる第１乃至第３の無線システムの送信系および受信系を切り替える高周波スイッチモジュールであって、アンテナへの接続線路を前記第１の無線システムの受信部および第１の線路のいずれかに切り替えて接続する第１の高周波スイッチ部と、
前記第１の線路と第２および第３の線路とが接続され、前記第１の線路に伝送される信号を、前記第１および第２の周波数の信号と前記第３の周波数の信号とに分離してそれぞれ前記第２および第３の線路に出力するダイプレクサと、
前記第２の線路を前記第１および第２の無線システムの共通する送信部および前記第２の無線システムの受信部のいずれかに切り替えて接続する第２の高周波スイッチと、
前記第３の線路を前記第３の無線システムの送信部および受信部のいずれかに切り替えて接続する第３の高周波スイッチと
を具備したことを特徴とする高周波スイッチモジュール。
【請求項２】
前記第１乃至第３の高周波スイッチは、
移相線路と、
スイッチング素子と
を具備したことを特徴とする請求項１記載の高周波スイッチモジュール。
【請求項３】
前記移相線路は、低域フィルタであることを特徴とする請求項２記載の高周波スイッチモジュール。
【請求項４】
前記第１の周波数は前記第２の周波数よりも高い周波数であり、前記第２の周波数は前記第３の周波数よりも高い周波数であることを特徴とする請求項１乃至３のいずれか１項に記載の高周波スイッチモジュール。
【請求項５】
前記第２の高周波スイッチ部は、前記第１および第２の周波数を通過させる低域フィルタを介して前記第１および第２の無線システムの共通する送信部と接続され、前記第３の高周波スイッチ部は、前記第３の周波数を通過させる低域フィルタを介して前記第３の無線システムの送信部と接続されることを特徴とする請求項１乃至４のいずれか１項に記載の高周波スイッチモジュール。
【請求項６】
請求項１乃至５記載の高周波スイッチモジュールを備えたことを特徴とする無線装置。
【発明の詳細な説明】
【０００１】
【発明の属する技術分野】
本発明は、高周波スイッチモジュールおよび無線装置に関し、特に複数の異なる無線システムに利用可能な高周波スイッチモジュールおよびそれを用いた無線装置に関する。
【０００２】
【従来の技術】
移動体無線通信における無線システムとしてはいくつかの規格が存在しており、各々異なる周波数帯において異なる伝送方式が採用されている。このような無線システムの規格としては、例えば、９００ＭＨｚ帯の周波数を用いるＥＧＳＭ（Ｅｘｔｅｎｄｅｄ  Ｇｌｏｂａｌ  Ｓｙｓｔｅｍ  ｆｏｒ  Ｍｏｂｉｌｅ  Ｃｏｍｍｕｎｉｃａｔｉｏｎ）方式、ＤＣＳ（Ｄｉｇｉｔａｌ  Ｃｏｍｍｕｎｉｃａｔｉｏｎ  Ｓｙｓｔｅｍ  ）方式、ＰＣＳ方式（Ｐｅｒｓｏｎａｌ  Ｃｏｍｍｕｎｉｃａｔｉｏｎ  Ｓｅｒｖｉｃｅｓ）などがある。そして、これら複数の無線システム方式に対応することのできるマルチバンド無線装置、マルチバンド携帯電話装置などが提案されており、例えば、ＧＳＭ方式、ＤＣＳ方式およびＰＣＳ方式に対応するトリプルバンド携帯電話装置などが登場している。
【０００３】
このようなトリプルバンド携帯電話装置では、一般に各無線システム方式の周波数帯に対応するトリプルバンドアンテナが用いられている。そして、各々の無線システム方式は、それぞれ変復調方式等が異なるため、当該携帯電話装置のアンテナ直下部（フロントエンド部）において、各無線システム方式ごとの変復調回路部に信号を振り分ける高周波スイッチが一般に備えられている（例えば、特許文献１）。図５は、従来のトリプルバンド携帯電話装置におけるフロントエンド部を示すブロック図である。
【０００４】
このフロントエンド部は、ＥＧＳＭ方式、ＤＣＳ方式およびＰＣＳ方式の三つの無線システム方式に対応している。図５に示すように、このフロントエンド部は、入出力部ａ乃至ｃを有するダイプレクサ４２と、第１のフィルタ部４３と、第２のフィルタ部４４と、入出力部ｄ乃至ｆを有する第１のスイッチ部４５と、入出力部ｇ乃至ｉを有する第２のスイッチ部４６と、入出力部ｊ乃至ｌを有する第３のスイッチ部４７とを備える高周波スイッチモジュール４１により構成されている。
【０００５】
ダイプレクサ４２の入出力部ａはアンテナ４８に接続されており、入出力部ｂは第１のフィルタ部４３の一方の入出力部に接続され、入出力部ｃは第２のフィルタ部４４の一方の入出力部に接続されている。第１のフィルタ部４３の他方の入出力部には第１のスイッチ部４５の入出力部ｄが接続されており、同じく入出力部ｅはＤＣＳ方式およびＰＣＳ方式共通の無線システムの送信部（ＤＣＳ／ＰＣＳ−Ｔｘ）が接続され、入出力部ｆには第３のスイッチ部４７の入出力部ｊが接続されている。第３のスイッチ部４７の入出力部ｋには、ＰＣＳ方式の受信部（ＰＣＳ−Ｒｘ）が接続され、同じく入出力部ｌには、ＤＣＳ方式の受信部（ＤＣＳ−Ｒｘ）が接続されている。また、第２のフィルタ部４４の他方の入出力部には、第２のスイッチ部４６の入出力部ｇが接続されており、第２のスイッチ部４６の入出力部ｈにはＥＧＳＭ方式の送信部（ＥＧＳＭ−Ｔｘ）、同じく入出力部ｉにはＥＧＳＭ方式の受信部（ＥＧＳＭ−Ｒｘ）が接続されている。
【０００６】
アンテナ４８により受信された受信信号は、ダイプレクサ４２の入出力部ａに入力される。ダイプレクサ４２は、当該受信信号が第１の周波数帯であれば入出力部ｂより出力し、当該受信信号が第２の周波数帯であれば入出力部ｃより出力して周波数帯ごとに分配する。この例では、第１の周波数帯はＤＣＳ方式およびＰＣＳ方式に対応して１．８乃至１．９ＧＨｚ帯、第２の周波数帯はＥＧＳＭ方式に対応して９００ＭＨｚ帯となる。
【０００７】
ダイプレクサ４２により分配された第１の周波数帯の受信信号は、第１の周波数帯を通過させるように設計された第１のフィルタ部４３を通過して、第１のスイッチ部４５の入出力部ｄに入力される。受信時には、第１のスイッチ部４５は入出力部ｄに入力された受信信号を入出力部ｆに出力するので、受信信号は第３のスイッチ部４７の入出力部ｊに入力される。第３のスイッチ部４７は、無線システム方式の種類に応じて、入出力部ｊに入力された受信信号がＰＣＳ方式の場合は入出力部ｋ、同じくＤＣＳ方式の場合は入出力部ｌに出力するので、受信信号はそれぞれＰＣＳ方式またはＤＣＳ方式の受信部（ＰＣＳ−Ｒｘ、ＤＣＳ−Ｒｘ）に入力される。
【０００８】
ダイプレクサ４２により分配された第２の周波数帯の受信信号は、第２の周波数帯を通過させるように設計された第２のフィルタ部４４を通過して、第２のスイッチ部４６の入出力部ｇに入力される。受信時には、第２のスイッチ部４６は、入出力部ｇに入力された受信信号を入出力部ｉに出力するので、受信信号はＥＧＳＭ方式の受信部（ＥＧＳＭ−Ｒｘ）に入力される。
【０００９】
送信時には逆の方向に送信信号が流れる。すなわち、ＤＣＳ方式およびＰＣＳ方式の送信部（ＤＣＳ／ＰＣＳ−Ｔｘ）からの送信信号は、第１のスイッチ部４５の入出力部ｅに入力される。送信時には、第１のスイッチ部４５は入出力部ｅに入力された送信信号を入出力部ｄに出力するので、送信信号は第１のフィルタ部４３を通過してダイプレクサ４２の入出力部ｂに入力される。ダイプレクサ４２は、入出力部ｂに入力された送信信号を入出力部ａに出力するので、送信信号はアンテナ４８へ供給される。
【００１０】
また、ＥＧＳＭ方式の送信部（ＥＧＳＭ−Ｔｘ）からの送信信号は、第２のスイッチ部４６の入出力部ｈに入力される。送信時には、第２のスイッチ部４６は、入出力部ｈに入力された送信信号を入出力部ｇに出力するので、送信信号は第２のフィルタ部４４を通過してダイプレクサ４２の入出力部ｃに入力される。ダイプレクサ４２は、入出力部ｃに入力された送信信号を入出力部ａに出力するので、送信信号はアンテナ４８へ供給される。
【００１１】
このように、この高周波スイッチモジュール４１では、アンテナ４８への送受信信号をＤＣＳ方式およびＰＣＳ方式共通の送信部（ＤＣＳ／ＰＣＳ−Ｔｘ）、ＰＣＳ方式の受信部（ＰＣＳ−Ｒｘ）、ＤＣＳ方式の受信部（ＤＣＳ−Ｒｘ）、ＥＧＳＭ方式の送信部（ＥＧＳＭ−Ｔｘ）およびＥＧＳＭ方式の受信部（ＥＧＳＭ−Ｒｘ）にそれぞれ切り替えて入出力することができる。
【００１２】
ところで、ＥＧＳＭ方式、ＤＣＳ方式およびＰＣＳ方式は、いずれも伝送損失の影響が問題となる高い周波数帯を用いているため、できるだけ伝送損失を低減することが望ましい。特に、複数の無線システム方式のうち、最も高い周波数帯を用いる方式の受信信号が伝送損失の影響を最も大きく受けるため、この点が問題となる。
【００１３】
また、複数の無線システム方式の送受信信号を切換えるフロントエンド部では、無線システム方式毎の周波数帯が異なるため、伝送路の線路長が同一であっても伝送損失が異なることになる。したがって、例えば図５に示す高周波スイッチモジュールの構成では、アンテナ４８において励起される受信信号強度が各方式間で同一であっても、各無線システム方式の受信部（ＰＣＳ−Ｒｘ、ＤＣＳ−Ｒｘ、ＥＧＳＭ−Ｒｘ）への入力信号強度が均一とならない。このことは、各無線システム方式の受信部の回路の共用化や、各無線システム方式の回線設計において問題となる。
【００１４】
さらに、無線システム方式によっては、その復調方法の特性によりある一定以上の受信信号強度を必要とする場合があり、このような方式に対応する場合には当該方式の受信経路の伝送損失を他の方式と比較して特に低減する必要がある。
【特許文献１】
公開特許公報（特開２０００−１６５２７４）
【００１５】
【発明が解決しようとする課題】
このように、従来の高周波スイッチモジュール、無線装置では、最も高い周波数帯において伝送損失が大きくなり、また、無線システムごとの出力信号強度が均一とはならないという問題がある。さらに、特定の無線システム方式について特に伝送損失を低減することができないという問題がある。
【００１６】
本発明はこのような課題を解決するためになされたもので、最も高い周波数帯または特定の無線システムの受信信号について伝送損失を低減することのできる高周波スイッチモジュール、無線装置を提供することを目的としている。
【００１７】
【課題を解決するための手段】
上記した目的を達成するために、請求項１記載の発明の高周波スイッチモジュールは、第１乃至第３の周波数をそれぞれ用いる第１乃至第３の無線システムの送信系および受信系を切り替える高周波スイッチモジュールであって、アンテナへの接続線路を第１の無線システムの受信部および第１の線路のいずれかに切り替えて接続する第１の高周波スイッチ部と、第１の線路と第２および第３の線路とが接続され、第１の線路に伝送される信号を、第１および第２の周波数の信号と第３の周波数の信号とに分離してそれぞれ第２および第３の線路に出力するダイプレクサと、第２の線路を第１および第２の無線システムの共通する送信部および第２の無線システムの受信部のいずれかに切り替えて接続する第２の高周波スイッチと、第３の線路を第３の無線システムの送信部および受信部のいずれかに切り替えて接続する第３の高周波スイッチとを具備している。
【００１８】
請求項２記載の発明の高周波スイッチモジュールは、第１乃至第３の高周波スイッチが、移相線路と、スイッチング素子とを具備したことを特徴とする。
請求項３記載の発明の高周波スイッチモジュールは、請求項３記載の高周波スイッチモジュールであって、移相線路を低域フィルタとしたことを特徴とする。請求項４記載の発明の高周波スイッチモジュールは、第１の周波数は第２の周波数よりも高い周波数であり、第２の周波数は第３の周波数よりも高い周波数であることを特徴とする。
請求項５記載の発明の高周波スイッチモジュールは、第２の高周波スイッチ部が、第１および第２の周波数を通過させる低域フィルタを介して第１および第２の無線システムの共通する送信部と接続され、第３の高周波スイッチ部は、第３の周波数を通過させる低域フィルタを介して第３の無線システムの送信部と接続されることを特徴とする。
【００１９】
請求項６記載の発明の無線装置は、請求項１乃至５記載の高周波スイッチモジュールを備えたことを特徴とする。
【００２０】
本発明では、アンテナへの接続線路を第１の無線システムの受信部および第１の線路のいずれかに切り替えて接続する第１の高周波スイッチ部を備えるので、送受信系を切り替える複数の無線システム方式のうち特定の無線システム方式の受信系について伝送損失を低減することを可能にする。
【００２１】
【発明の実施の形態】
以下、本発明の実施の形態を図面を参照して詳細に説明する。図１は本発明の第１の実施形態に係る高周波スイッチモジュールの全体構成を示す斜視図である。
図１に示すように、この高周波スイッチモジュール１は、セラミックなどの誘電体材料からなる基板２ａ…２ｄの表面に、銅や銀などの導体材料により信号線路や受動素子を形成する導体層を形成するとともに、これらの基板２ａ…２ｄを積層した構造を有している。積層された基板２ａ…２ｄの表面には基板２ｅが配設されており、基板２ｅの表面には能動素子などの回路素子３、回路素子３を実装するためのパッド４、金属キャップ（図示せず）を取り付けるための金属キャップ用パッド５などが配設されている。積層された基板２ａ…２ｅは焼結処理されて一つの高周波スイッチモジュール１となる。
【００２２】
基板２ａ…２ｄに形成された導体層は、それぞれ高周波スイッチの回路要素（例えばコンデンサ）ごと、あるいは厚さが共通する回路素子（例えばコンデンサ電極）ごとに形成されている。導体層間の接続は、ビアホールまたはスルーホールを介した導体線路などにより行われる。
【００２３】
このように、この高周波スイッチモジュール１によれば、回路要素を形成した基板を積層して構成するので、モジュールを小さくすることができる。また、この高周波スイッチモジュール１によれば、回路要素を基板上の導体層として形成するので、回路素子の形状を安定させることができ、特に高い周波数において安定した特性を得ることができる。
【００２４】
次に、図２を参照して、この実施形態に係る高周波スイッチモジュールの回路構成について説明する。図２は、この高周波スイッチモジュールの回路構成を示すブロック図である。
この実施形態の高周波スイッチモジュールは、移動体通信システムの規格として知られているＰＣＳ方式、ＤＣＳ方式およびＥＧＳＭ方式の三つの無線システム方式について送信系と受信系とをそれぞれ切り替えるものである。ＰＣＳ方式は１．９ＧＨｚの周波数帯（第１の周波数）を利用する無線システム（第１の無線システム）であり、ＤＣＳ方式は１．８ＧＨｚの周波数帯（第２の周波数）を利用する無線システム（第２の無線システム）であり、ＥＧＳＭ方式は９００ＭＨｚの周波数帯（第３の周波数）を利用する無線システム（第３の無線システム）である。
【００２５】
図２に示すように、この高周波スイッチモジュール１は、入出力部Ａ乃至Ｃを有する第１の高周波スイッチ部１１と、入出力部Ｊ乃至Ｌを有するダイプレクサ１４と、入出力部Ｄ乃至Ｆを有する第２の高周波スイッチ部１２と、第１のフィルタ部１５と、入出力部Ｇ乃至Ｉを有する第３の高周波スイッチ部１３と、第２のフィルタ部１６とを具備している。ここで「入出力部」の語は、回路素子や機能要素単位の分界点の意味で用いており、例えば入出力端子や入出力点を含む概念として用いている。
【００２６】
第１の高周波スイッチ部１１の入出力部Ａには、アンテナ１７へと続くアンテナ接続線路１８が接続されている。第１の高周波スイッチ部１１の入出力部Ｂは、第１の無線システムたるＰＣＳ方式の受信部２７ｃへ続く線路と接続されており、同じく入出力部Ｃは、ダイプレクサ１４の入出力部Ｊへ続く第１の線路１９ａと接続されている。
ダイプレクサ１４の入出力部Ｌは、第２の高周波スイッチ部１２の入出力部Ｄへと続く第２の線路１９ｂと接続されており、同じく入出力部Ｋは、第３の高周波スイッチ部１３の入出力部Ｇへと続く第３の線路１９ｃと接続されている。
【００２７】
第２の高周波スイッチ部１２の入出力部Ｅは、第１のフィルタ部１５の一方の入出力部と接続されており、同じく入出力部Ｆは第２の無線システムたるＤＣＳ方式の受信部２７ｂへ続く線路と接続されている。第１のフィルタ部１５の他方の入出力部は、第２および第１の無線システムたるＤＣＳ方式およびＰＣＳ方式共通の送信部２７ａへ続く線路が接続されている。
第３の高周波スイッチ部１３の入出力部Ｈは、第２のフィルタ部１６の一方の入出力部と接続されており、同じく入出力部Ｉは第３の無線システムたるＥＧＳＭ方式の受信部２８ｂへ続く線路と接続されている。第２のフィルタ部１６の他方の入出力部は、第３の無線システムたるＥＧＳＭ方式の送信部２８ａへ続く線路と接続されている。
【００２８】
第１の高周波スイッチ部１１は、入出力部Ａと入出力部ＢおよびＣのいずれか一方とを切り替えて電気的に接続する作用をする。同様に、第２の高周波スイッチ部１２は、入出力部Ｄと入出力部ＥおよびＦのいずれか一方とを切り替えて電気的に接続する作用をする。また、第３の高周波スイッチ部１３は、入出力部Ｇと入出力部ＨおよびＩのいずれか一方とを切り替えて電気的に接続する作用をする。
【００２９】
ダイプレクサ１４は、ＰＣＳ方式およびＤＣＳ方式に対応する１．８乃至１．９ＧＨｚ帯の周波数帯の信号とＥＧＳＭ方式に対応する９００ＭＨｚ帯の周波数帯の信号とを分離する作用をする。すなわち、１．８乃至１．９ＧＨｚの周波数帯の信号はダイプレクサ１４の入出力部ＪおよびＬの間を通過し、９００ＭＨｚ帯の周波数帯の信号は、ダイプレクサ１４の入出力部ＪおよびＫの間を通過する。
【００３０】
第１のフィルタ部１５および第２のフィルタ部１６は、送信信号の高調波を除去するための低域フィルタであり、第１のフィルタ部１５はＤＣＳ方式およびＰＣＳ方式に対応する１．８乃至１．９ＧＨｚの周波数帯の信号を通過させ、第２のフィルタ部１６はＥＧＳＭ方式に対応する９００ＭＨｚ帯の周波数帯の信号を通過させる。
【００３１】
以下、図２を参照してこの高周波スイッチモジュール１の動作を説明する。
まず、ＰＣＳ方式の無線システムの送受信動作について説明する。アンテナ１７で受信した受信信号は、アンテナ接続線路１８を介して第１の高周波スイッチ部１１の入出力部Ａに入力される。ＰＣＳ方式の受信状態では、第１の高周波スイッチ部１１は、入出力部ＡとＢとを接続する。したがって、入出力部Ａに入力された受信信号は、入出力部Ｂから出力されてＰＣＳ方式の受信部２７ｃへと入力される。
【００３２】
ＰＣＳ方式の送信状態では、第１の高周波スイッチ部１１は入出力部ＡとＣとを接続し、第２の高周波スイッチ部１２は入出力部ＤとＥとを接続する。ＤＣＳ方式およびＰＣＳ方式共通の送信部２７ａから入力された送信信号は、第１のフィルタ部１５を通過し、第２の高周波スイッチ部１２の入出力部Ｅに入力されて入出力部Ｄから出力され、第２の線路１９ｂを介してダイプレクサ１４の入出力部Ｌに入力される。ＰＣＳ方式は１．９ＧＨｚ帯の周波数帯を利用するから、ダイプレクサ１４は、入出力部Ｌに入力された送信信号を入出力部Ｊに出力する。入出力部Ｊに出力された送信信号は、第１の線路１９ａ、第１の高周波スイッチ部１１の入出力部ＣおよびＡを通過して、アンテナ１７へと供給される。
【００３３】
続いて、ＤＣＳ方式の無線システムの受信動作について説明する。ＤＣＳ方式の送信動作については、ＰＣＳ方式の送信動作と同一であるので、重複する説明を省略する。
アンテナ１７で受信した受信信号は、第１の高周波スイッチ部１１の入出力部Ａに入力される。ＤＣＳ方式の受信状態では、第１の高周波スイッチ部１１は、入出力部ＡとＣとを接続し、第２の高周波スイッチ部１２は、入出力部ＤとＦとを接続する。したがって、入出力部Ａに入力された受信信号は、入出力部Ｃから出力されて第１の線路１９ａを経てダイプレクサ１４の入出力部Ｊに入力される。
【００３４】
ＤＣＳ方式は１．８ＧＨｚ帯の周波数帯を利用するから、ダイプレクサ１４は、入出力部Ｊに入力された受信信号を入出力部Ｌに出力する。入出力部Ｌから出力された受信信号は、第２の線路１９ｂ、第２の高周波スイッチ部１２の入出力部ＤおよびＦを経てＤＣＳ方式の受信部２７ｂに入力される。
【００３５】
さらに、ＥＧＳＭ方式の無線システムの送受信動作について説明する。ＥＧＳＭ方式の受信状態では、第１の高周波スイッチ部１１は入出力部ＡおよびＣを接続するとともに第３の高周波スイッチ部１３は入出力部ＧとＩを接続する。また、ＥＧＳＭ方式の送信状態では、第１の高周波スイッチ部１１は入出力部ＡおよびＣを接続するとともに第３の高周波スイッチ部１３は入出力部ＧおよびＨを接続する。
【００３６】
アンテナ１７から入力された受信信号は、第１の高周波スイッチ部１１の入出力部ＡおよびＣを通過してダイプレクサ１４の入出力部Ｊに入力される。ＥＧＳＭ方式は９００ＭＨｚ帯の周波数帯を利用するから、ダイプレクサ１４は、入出力部Ｊに入力された受信信号を入出力部Ｋに出力する。入出力部Ｋから出力された受信信号は、第３の線路１９ｃ、第３の高周波スイッチ部１３の入出力部ＧおよびＩを通過してＥＧＳＭ方式の受信部２８ｂに入力される。
【００３７】
また、ＥＧＳＭ方式の送信部２８ａからの送信信号は、第２のフィルタ部１６を通過して第３の高周波スイッチ部１３の入出力部Ｈに入力される。第３の高周波スイッチ部１３は、入出力部Ｈに入力された送信信号を入出力部Ｇから出力して、第３の線路１９ｃを介してダイプレクサ１４の入出力部Ｋに入力する。送信信号が入出力部Ｋに入力されると、ダイプレクサ１４は当該送信信号を入出力部Ｊから出力して、第１の線路１９ａを介して第１の高周波スイッチ部１１の入出力部Ｃに入力する。第１の高周波スイッチ部１１は、入出力部Ｃに入力された送信信号を入出力部Ａから出力してアンテナ１７に供給する。
【００３８】
続いて、第１乃至第３の高周波スイッチ部１１乃至１３について詳細に説明する。図２に示すように、この実施形態に係る高周波スイッチモジュール１における第１乃至第３の高周波スイッチ部１１乃至１３は、移相線路部２１・２３・２５と、スイッチング素子部とを備えている。各スイッチング素子部は、一対のスイッチング素子、すなわち、互いに対となった第１のスイッチング素子部２２ａ・２４ａ・２６ａおよび第２のスイッチング素子部２２ｂ・２４ｂ・２６ｂとを備えている。なお、第１乃至第３の高周波スイッチ部１１乃至１３は、それぞれ構成が共通するので、以下の説明では第１の高周波スイッチ部１１について説明し、重複する説明は省略する。
【００３９】
第１の高周波スイッチ部１１は、移相線路部２１と、第１のスイッチング素子部２２ａと、第２のスイッチング素子部２２ｂとをそれぞれ具備している。第１の高周波スイッチ部１１の入出力部Ａには、第１のスイッチング素子部２２ａおよび移相線路部２１のそれぞれの一端が接続されている。第１のスイッチング素子部２２ａの他端には、入出力部Ｂが接続されており、移相線路部２１の他端には第２のスイッチング素子部２２ｂの一端および入出力部Ｃが接続されている。第２のスイッチング素子部２２ｂの他端はグラウンドに接続されている。
【００４０】
第１のスイッチング素子部２２ａは、入出力部ＡおよびＢの間の線路を接続・切断するように接続されたスイッチング素子を備えており、第２のスイッチング素子部２２ｂは、入出力部ＡおよびＣの間の線路とグラウンドとの間を短絡・開放するように接続されたスイッチング素子を備えている。そして、第１のスイッチング素子部２２ａおよび第２のスイッチング素子部２２ｂは、外部からの制御電圧（図示せず）により協働して入出力部Ａ・Ｂ間および入出力部Ａ・Ｃ間のいずれかを接続するように作用する。移相線路部２１は、伝送される信号の位相を移相する作用をする。
【００４１】
次に、第１の高周波スイッチ部１１の動作について詳細に説明する。
第１および第２のスイッチング素子部２２ａおよび２２ｂがともにオン状態の場合、入出力部Ａに入力された信号は第１のアンテナスイッチング素子部２２ａを通過して入出力部Ｂへ出力される。また、第２のアンテナスイッチング素子部２２ｂがオンであるから、入出力部Ａから入出力部Ｃへの線路は第２のスイッチング素子部２２ｂにおいて高周波的に接地される。そうすると、移相線路部２１により、入出力部Ａにおいて第２のスイッチング素子部２２ｂの接地点から所定の位相分だけ移相するため、入出力部Ａでの入出力部Ｃ方向のインピーダンスは大となって入出力部Ａから入出力部Ｃへは信号が通過せず、入出力部ＡおよびＢのみが接続された状態になる。
【００４２】
一方、第１および第２のスイッチング素子部２２ａおよび２２ｂがともにオフ状態の場合、入出力部ＡからＢへは線路がオフとなり入出力部Ａに入力された信号は第１のスイッチング素子部２２ａを通過しない。また、第２のスイッチング素子部２２ｂがオフであるから移相線路部２１および第２のスイッチング素子部２２ｂは通常の伝送線路として作用し、入出力部ＡおよびＣのみが接続された状態になる。
【００４３】
第２および第３の高周波スイッチ部１２および１３についても同様であり、それぞれ入出力部Ｄ・Ｅ間またはＤ・Ｆ間のいずれかを接続する高周波スイッチ、入出力部Ｇ・Ｈ間またはＧ・Ｉ間のいずれかを接続する高周波スイッチとして動作する。
【００４４】
このように、この実施形態に係る高周波スイッチモジュール１によれば、アンテナ１７への接続線路を接続した第１の高周波スイッチ部１１を備えて、一方を最も周波数の高いＰＣＳ方式の受信部２７ｃと、他方をダイプレクサ１４と接続するように構成したので、ＰＣＳ方式の受信信号に対する伝送損失を特に低減することができる。すなわち、複数の無線システムの送受信系を切り替える場合に、周波数や変復調方式などにより特に伝送損失を低くする必要がある無線システムについて、優先的に伝送損失を低くすることができる。
また、この実施形態に係る高周波スイッチモジュール１によれば、最も高い周波数の受信信号について伝送損失を優先的に低減させたので、各無線システムの受信部に対する入力信号のレベル差を少なくすることができる。
【００４５】
次に、図３を参照して、この実施形態に係る高周波スイッチモジュールにおける第１乃至第３の高周波スイッチ部１１乃至１３、ダイプレクサ１４、第１のフィルタ部１５および第２のフィルタ部１６について詳細に説明する。図３は、この高周波スイッチモジュールの原理的回路構成を示す回路図である。なお、図２と同一構成部分については同一の符号を付して示している。
【００４６】
まず、第１の高周波スイッチ部１１について詳細に説明する。図３に示すように、第１の高周波スイッチ部１１は、移相線路部２１と、第１のスイッチング素子部２２ａと、第２のスイッチング素子部２２ｂとを備えており、入出力部Ａはアンテナ接続線路１８を介してアンテナ（図示せず）に、入出力部ＢはＰＣＳ方式の受信部２７ｃに、入出力部Ｃは第１の線路１９ａを介してダイプレクサ１４の入出力部Ｊにそれぞれ接続されている。
【００４７】
移相線路部２１は、入出力部ＡおよびＣの間に並列接続されたインダクタＬ１１およびコンデンサＣ１２と、当該並列接続されたインダクタＬ１１およびコンデンサＣ１２の両端にそれぞれ一端が接続されたコンデンサＣ１１およびＣ１３とからなる。コンデンサＣ１１およびＣ１３の他端は、グラウンドに接続されている。コンデンサＣ１１の一端は入出力部Ａと接続され、コンデンサＣ１３の一端は入出力部Ｃと接続されている。すなわち、この移相線路部２１は、入出力部ＡおよびＣの間にπ型低域フィルタを構成している。この低域フィルタは、最もアンテナに近い位置に配置されるため、切り替え対象たる無線システム方式のうち最も高い周波数帯を通過させるように設計される。この例では、ＰＣＳ方式の１．９ＧＨｚ帯を通過するように設計されている。
【００４８】
第１のスイッチング素子部２２ａは、アノードが入出力部Ａに接続されたダイオード素子Ｄ１１と、一端がダイオード素子Ｄ１１のカソードに接続されたインダクタＬ１２およびＬ１３と、インダクタＬ１３の他端に一端が接続されたコンデンサＣ１４とからなる。インダクタＬ１２の他端およびコンデンサＣ１４の他端は、グラウンドに接続されている。インダクタＬ１３の他端およびコンデンサＣ１４の一端は、入出力部Ｂに接続されている。すなわち、この第１のスイッチング素子部２２ａは、入出力部Ａ・Ｂ間の伝送路を構成している。
【００４９】
第２のスイッチング素子部２２ｂは、カソードが移相線路部２１のコンデンサＣ１３の一端および入出力部Ｃと接続されたダイオード素子Ｄ１２と、ダイオード素子Ｄ１２のアノードに一端が接続された抵抗Ｒ１１およびコンデンサＣ１５とからなる。抵抗Ｒ１１の他端は、コントロール端子ＣＮＴＬ１に接続され、コンデンサＣ１５の他端は、グラウンドに接続されている。すなわち、第２のスイッチング素子部２２ｂは、入出力部Ｃをグラウンドに短絡する短絡線路を構成している。
【００５０】
次に、ダイプレクサ１４について詳細に説明する。図３に示すように、ダイプレクサ１４は、インダクタＬ２１乃至２３、コンデンサＣ２１乃至２５からなり、入出力部Ｊは第１の線路１９ａを介して第１の高周波スイッチ部１１の入出力部Ｃに、入出力部Ｌは第２の線路１９ｂを介して第２の高周波スイッチ部１２の入出力部Ｄに、入出力部Ｋは第３の線路１９ｃを介して第３の高周波スイッチ部１３の入出力部Ｇにそれぞれ接続されている。
【００５１】
入出力部Ｊには、インダクタＬ２１およびコンデンサＣ２１の一端が接続されている。インダクタＬ２１の他端には、コンデンサＣ２５の一端およびインダクタＬ２２の一端が接続されている。コンデンサＣ２５の他端は入出力部Ｋに接続されるとともに、インダクタＬ２２の他端はコンデンサＣ２３の一端と接続され、その他端はグラウンドに接続されている。
コンデンサＣ２１の他端には、コンデンサＣ２２およびインダクタＬ２３の一端が接続されている。コンデンサＣ２２の他端は入出力部Ｌに接続されるとともに、インダクタＬ２３の他端はコンデンサＣ２４の一端が接続され、その他端はグラウンドに接続されている。
【００５２】
ダイプレクサ１４は、ＤＣＳ方式およびＰＣＳ方式に対応する１．８〜１．９ＧＨｚ帯の周波数帯の信号を入出力部ＪからＬまたはＬからＪに向けて通過させ、ＥＧＳＭ方式に対応する９００ＭＨｚ帯の周波数帯の信号を入出力部ＪからＫまたはＫからＪに向けて通過させる作用をする。
【００５３】
次に、第２の高周波スイッチ部１２について詳細に説明する。図３に示すように、第２の高周波スイッチ部１２は、第１の高周波スイッチ部１１と同様に、移相線路部２３と、第１のスイッチング素子部２４ａと、第２のスイッチング素子部２４ｂとを備えており、入出力部Ｄは第２の線路１９ｂを介してダイプレクサ１４の入出力部Ｌに、入出力部Ｅは第１のフィルタ部１５の一方の入出力部に、入出力部ＦはＤＣＳ方式の受信部２７ｂにそれぞれ接続されている。
【００５４】
移相線路部２３は、移相線路部２１と同様に、入出力部ＤおよびＦの間に並列接続されたインダクタＬ３１およびコンデンサＣ３２と、その両端に一端が接続されたコンデンサＣ３１およびＣ３３とからなるπ型の低域フィルタを構成している。この低域フィルタは、ＤＣＳ方式の受信周波数帯である１．８ＧＨｚ帯を通過するように設計されている。
【００５５】
第１のスイッチング素子部２４ａは、第１のスイッチング素子部２２ａと同様に、アノードが入出力部Ｄに接続されたダイオード素子Ｄ３１と、一端がダイオード素子Ｄ３１のカソードに接続されたインダクタＬ３３とを備えており、さらにダイオード素子Ｄ３１と並列接続され互いに直列接続されたインダクタＬ３２およびコンデンサＣ３４を有している。第２のスイッチング素子部２４ａは、入出力部Ｄ・Ｅ間の伝送路を構成している。
【００５６】
第２のスイッチング素子部２４ｂは、第２のスイッチング素子部２２ｂと同様に、カソードが移相線路部２３のコンデンサＣ３３の一端および入出力部Ｆと接続されたダイオード素子Ｄ３２と、ダイオード素子３２のアノードに一端が接続された抵抗Ｒ３１およびコンデンサＣ３５とを備えており、入出力部Ｆをグラウンドに短絡する短絡線路を構成している。また、抵抗Ｒ３１の他端は、コントロール端子ＣＮＴＬ２が接続されている。
【００５７】
次に、第１のフィルタ部１５について詳細に説明する。第１のフィルタ部１５は、一端が第２の高周波スイッチ部１２の入出力部Ｅに、他端がＤＣＳ方式およびＰＣＳ方式共通の送信部２７ａにそれぞれ接続されている。そして、並列接続されたインダクタＬ４１およびコンデンサＣ４２と、その両端に一端が接続されたコンデンサＣ４１およびＣ４３とを備えてπ型の低域フィルタを構成している。この低域フィルタは、ＤＣＳ方式およびＰＣＳ方式の送信周波数である１．８〜１．９ＧＨｚ帯の周波数帯を通過するように設計され、ＤＣＳ方式およびＰＣＳ方式の送信信号の高調波を除去する作用をする。
【００５８】
次に、第３の高周波スイッチ部１３について詳細に説明する。図３に示すように、第３の高周波スイッチ部１３は、第１の高周波スイッチ部１１と同様に、移相線路部２５と、第１のスイッチング素子部２６ａと、第２のスイッチング素子部２６ｂとを備えており、入出力部Ｇは第３の線路１９ｃを介してダイプレクサ１４の入出力部Ｋに、入出力部Ｈは第２のフィルタ部１６の一方の入出力部に、入出力部ＩはＥＧＳＭ方式の受信部２８ｂにそれぞれ接続されている。
【００５９】
移相線路部２５は、並列接続されたインダクタＬ５１およびコンデンサＣ５２と、同じく並列接続され、インダクタＬ５１およびコンデンサＣ５２と直列接続されたインダクタＬ５２およびコンデンサＣ５４と、インダクタンスＬ５１およびＬ５２の両端にそれぞれ一端が接続されたコンデンサＣ５１、Ｃ５３およびＣ５５からなるπ型の低域フィルタを構成しており、入出力部ＧおよびＩの間に配置されている。移相線路部２１と異なるのは、π型の低域フィルタが２段構成となっている点である。この低域フィルタは、少なくともＥＧＳＭ方式の受信周波数帯である９００ＭＨｚ帯を通過するように設計されている。
【００６０】
第１のスイッチング素子部２６ａは、第１のスイッチング素子部２２ａと同様に、アノードが入出力部Ｇに接続されたダイオード素子Ｄ５１と、一端がダイオード素子Ｄ５１のカソードに接続されたインダクタＬ５３とを備えている。第２のスイッチング素子部２６ａは、入出力部Ｇ・Ｈ間の伝送路を構成している。
【００６１】
第２のスイッチング素子部２６ｂは、第２のスイッチング素子部２２ｂと同様に、カソードが移相線路部２５のコンデンサＣ５３の一端および入出力部Ｉと接続されたダイオード素子Ｄ５２と、ダイオード素子Ｄ５２のアノードに一端が接続された抵抗Ｒ５１およびコンデンサＣ５６とを備えており、入出力部Ｉをグラウンドに短絡する短絡線路を構成している。なお、抵抗Ｒ５１の他端には、コントロール端子ＣＮＴＬ３が接続されている。
【００６２】
次に、第２のフィルタ部１６について詳細に説明する。第２のフィルタ部１６は、一端が第３の高周波スイッチ部１３の入出力部Ｈに、他端がＥＧＳＭ方式の送信部２８ａにそれぞれ接続されている。そして、第１のフィルタ部１５と同様に、並列接続されたインダクタＬ６１およびコンデンサＣ６２と、その両端に一端が接続されたコンデンサＣ６１およびＣ６３とを備えてπ型の低域フィルタを構成している。この低域フィルタは、ＥＧＳＭ方式の送信周波数である９００ＭＨｚ帯の周波数帯を通過するように設計され、ＥＧＳＭ方式の送信信号の高調波を除去する作用をする。
【００６３】
次に、この高周波スイッチモジュール１の動作を詳細に説明する。
ＰＣＳ方式の受信状態では、図示しない送受信制御部から、コントロール端子ＣＮＴＬ１に例えば数ボルト程度の所定の直流電圧（以下「Ｈ電圧」と称する。）が印加され、ＰＣＳ方式の送信状態では、コントロール端子ＣＮＴＬ２にＨ電圧を印加するとともにコントロール端子ＣＮＴＬ１を例えば零ボルト（以下「Ｌ電圧」と称する。）とする。
【００６４】
ＰＣＳ方式の受信状態の場合、コントロール端子ＣＮＴＬ１はＨ電圧であるから、抵抗Ｒ１１、ダイオード素子Ｄ１２、インダクタＬ１１、ダイオード素子Ｄ１１、インダクタＬ１２の順に電流が流れる。すなわち、ダイオード素子Ｄ１１およびＤ１２がオン状態となる。したがって、入出力部Ａ・Ｂ間は接続状態となり、アンテナ１７からＡＮＴ端子に導かれた受信信号は、ダイオード素子Ｄ１１およびインダクタＬ１３を介して入出力部Ｂへ流れ、ＰＣＳ方式の受信部２７ｃへと送られる。
【００６５】
ここで、ダイオード素子Ｄ１２はオン状態であるから、入出力部Ｃは高周波的にダイオード素子Ｄ１２およびコンデンサＣ１５を介してグラウンドに短絡された状態になっている。そして、入出力部Ａ・Ｃ間に配置された低域フィルタは、設計周波数において通過信号の位相をπ／２だけ移相するから、ＰＣＳ方式の周波数帯において入出力部Ａでの入出力部Ｃ方向の見かけ上のインピーダンスは大となる。したがって、入出力部ＡからＣへの漏れ電流はほとんどなくなり、受信信号は効率よく入出力部ＡからＢに向けて流れる。
【００６６】
ＰＣＳ方式の送信状態の場合、送信信号は、ＤＣＳ方式およびＰＣＳ方式共通の送信部２７ａから第１のフィルタ部１５に入力される。第１のフィルタ部１５は低域フィルタを構成するから送信信号の高調波は除去され、送信信号は第２の高周波スイッチ部１２の入出力部Ｅに入力される。コントロール端子ＣＮＴＬ２にはＨ電圧が印加されるから、抵抗Ｒ３１、ダイオード素子Ｄ３２、インダクタＬ３１、ダイオード素子Ｄ３１およびインダクタＬ３３の順に電流が流れてダイオード素子Ｄ３１およびＤ３２はともにオン状態となる。したがって、入出力部Ｄ・Ｅ間は接続状態となり、入出力部Ｅに入力された送信信号は入出力部Ｄから出力される。
【００６７】
ここで、ダイオード素子Ｄ３２はオン状態であるから、入出力部Ｆは高周波的にダイオード素子Ｄ３２およびコンデンサＣ３５を介してグラウンドに短絡された状態になっている。そして、入出力部Ｄ・Ｆ間に配置された低域フィルタは、設計周波数において通過信号の位相をπ／２だけ移相するから、ＰＣＳ方式の周波数帯において入出力部Ｄでの入出力部Ｆ方向の見かけ上のインピーダンスは大となる。したがって、入出力部ＤからＦへ流れる漏れ電流はほとんどなくなり、送信信号がＤＣＳ方式の受信部２７ｂに流れ込むことがなくなる。
【００６８】
入出力部Ｄから出力された送信信号は、ダイプレクサ１４の入出力部Ｌに入力されて入出力部Ｊから出力され、第１の高周波スイッチ部１１の入力部Ｃに入力される。コントロール端子ＣＮＴＬ１がＬ電圧とされているから、ダイオード素子Ｄ１１およびＤ１２はともにオフ状態である。したがって、入出力部Ｃに入力された送信信号は低域フィルタを通過してアンテナ接続線路１８へ供給される。
【００６９】
このように、ＰＣＳ方式においては、受信信号がアンテナ接続線路１８から第１のスイッチング素子部２２ａのみを通過してＰＣＳ方式の受信部２７ｃへ送られるので、伝送損失は最小に抑えられる。また、送信信号が第１のフィルタ部１５を構成する低域フィルタに加えて移相線路部２１を構成する低域フィルタをも通過するから、高調波除去特性が良好となる。さらに、送信信号が移相線路部２１を構成する低域フィルタを通過することで、ダイオード素子Ｄ３１の非線形領域において発生する高調波や歪、イメージなどが効果的に除去される。
【００７０】
次に、ＤＣＳ方式の受信状態では、コントロール端子ＣＮＴＬ１およびＣＮＴＬ２はＬ電圧とされ、送信状態では、コントロール端子ＣＮＴＬ１をＬ電圧とするとともに、図示しない送受信制御部からコントロール端子ＣＮＴＬ２にＨ電圧が印加される。
【００７１】
ＤＣＳ方式の受信状態の場合、コントロール端子ＣＮＴＬ１はＬ電圧であるから、ダイオード素子Ｄ１１およびＤ１２はともにオフ状態となる。したがって、入出力部Ａに入力された受信信号は、移相線路部２１を通過して入出力部Ｃから出力され、ダイプレクサ１４の入出力部Ｊに入力される。ダイプレクサ１４は、入出力部Ｊに入力されたＤＣＳ方式の受信信号を入出力部Ｌに出力して第２の高周波スイッチ部１２の入出力部Ｄに入力する。そして、コントロール端子ＣＮＴＬ２もＬ電圧であるから、ダイオード素子Ｄ３１およびＤ３２がオフ状態となり、入出力部Ｄに入力された受信信号は移相線路部２３を通過してＤＣＳ方式の受信部２７ｂに入力される。
【００７２】
一方送信状態の場合、送信信号はＰＣＳ方式の送信状態と同一の経路を通過してアンテナ接続線路１８に出力される。
【００７３】
このように、ＤＣＳ方式においては、受信信号が移相線路部２１および２３を構成する二つの低域フィルタとダイプレクサ１４を通過するので、受信信号の伝送損失はＰＣＳ方式には及ばない。しかし、送信信号が第１のフィルタ部１５を構成する低域フィルタに加えて移相線路部２１を構成する低域フィルタをも通過するから、ＤＣＳ方式においても高調波除去特性が良好となる。また、送信信号が移相線路部２１を構成する低域フィルタを通過するので、ダイオード素子３１の非線形領域において発生する高調波や歪、イメージなどが効果的に除去される。
【００７４】
次に、ＥＧＳＭ方式の受信状態では、コントロール端子ＣＮＴＬ１およびＣＮＴＬ３はＬ電圧とされ、送信状態では、コントロール端子ＣＮＴＬ１をＬ電圧とするとともに、図示しない送受信制御部からコントロール端子ＣＮＴＬ３にＨ電圧が印加される。
【００７５】
ＥＧＳＭ方式の受信状態の場合、コントロール端子ＣＮＴＬ１はＬ電圧であるから、ダイオード素子Ｄ１１およびＤ１２はともにオフ状態となる。したがって、入出力部Ａに入力された受信信号は、移相線路部２１を通過して入出力部Ｃから出力され、ダイプレクサ１４の入出力部Ｊに入力される。ダイプレクサ１４は、入出力部Ｊに入力されたＥＧＳＭ方式の受信信号を入出力部Ｋに出力して第３の高周波スイッチ部１３の入出力部Ｇに入力する。そして、コントロール端子ＣＮＴＬ３もＬ電圧であるから、ダイオード素子Ｄ５１およびＤ５２がオフ状態となり、入出力部Ｇに入力された受信信号は移相線路部２５を通過してＥＧＳＭ方式の受信部２８ｂに入力される。
【００７６】
ＥＧＳＭ方式の送信状態の場合、送信信号は、ＥＧＳＭ方式の送信部２８ａから第２のフィルタ部１６に入力される。第２のフィルタ部１６は低域フィルタを構成するから送信信号の高調波は除去され、送信信号は第３の高周波スイッチ部１３の入出力部Ｈに入力される。コントロール端子ＣＮＴＬ３にはＨ電圧が印加されるから、抵抗Ｒ５１、ダイオード素子Ｄ５２、インダクタＬ５２および５１、ダイオード素子Ｄ５１およびインダクタＬ５３の順に電流が流れてダイオード素子Ｄ５１およびＤ５２はともにオン状態となる。したがって、入出力部Ｇ・Ｈ間は接続状態となり、入出力部Ｈに入力された送信信号は入出力部Ｇから出力される。
【００７７】
ここで、ダイオード素子Ｄ５２はオン状態であるから、入出力部Ｉは高周波的にダイオード素子Ｄ５２およびコンデンサＣ５６を介してグラウンドに短絡された状態になっている。そして、入出力部Ｇ・Ｉ間に配置された低域フィルタは、設計周波数において通過信号の位相をπ／２だけ移相するように設計されるから、ＥＧＳＭ方式の周波数帯において入出力部Ｇでの入出力部Ｉ方向の見かけ上のインピーダンスは大となる。したがって、入出力部ＧからＩへ流れる漏れ電流はほとんどなくなり、送信信号がＥＧＳＭ方式の受信部２８ｂに流れ込むことがなくなる。
【００７８】
入出力部Ｇから出力された送信信号は、ダイプレクサ１４の入出力部Ｋに入力されて入出力部Ｊから出力され、第１の高周波スイッチ部１１の入力部Ｃに入力される。コントロール端子ＣＮＴＬ１がＬ電圧とされているから、ダイオード素子Ｄ１１およびＤ１２はともにオフ状態である。したがって、入出力部Ｃに入力された送信信号は低域フィルタを通過してアンテナ接続線路１８へ出力される。
【００７９】
このように、ＥＧＳＭ方式においては、受信信号が移相線路部２１および２５を構成する二つの低域フィルタとダイプレクサ１４を通過するので、受信信号の伝送経路はＰＣＳ方式よりも長くなるが、ＰＣＳ方式よりもＥＧＳＭ方式の方が低い周波数帯であるため、伝送損失の影響は小さい。また、送信信号が第２のフィルタ部１６を構成する低域フィルタに加えて移相線路部２１を構成する低域フィルタをも通過するから、ＥＧＳＭ方式の第３高調波以上の高調波除去特性が良好となる。また、送信信号が移相線路部２１を構成する低域フィルタを通過するので、ダイオード素子Ｄ５１の非線形領域において発生する高調波や歪、イメージなどが効果的に除去される。
【００８０】
このように、この高周波スイッチモジュールによれば、受信信号をＰＣＳ方式の受信部（ＰＣＳ−Ｒｘ）へ切り替える高周波スイッチをアンテナとダイプレクサの間に配置したので、ＰＣＳ方式の受信信号の伝送損失を他の方式の受信信号よりも小さくすることができる。また、この高周波スイッチモジュールによれば、少なくともアンテナとダイプレクサの間に配置した高周波スイッチの移相線路を低域フィルタにて実現したので、送信信号の高調波除去特性を向上するとともに、高周波スイッチのダイオード素子により発生する送信信号の高調波、歪またはイメージなどを効果的に除去することができる。さらに、この高周波スイッチモジュールによれば、ＰＣＳ方式、ＤＣＳ方式およびＥＧＳＭ方式の各送受信状態を実現するためにダイオード素子に印加する制御電圧を、三つのコントロール端子のうち最大で１箇所のみにＨ電圧を印加するだけでいずれの方式への切り替えも実現できるので、高周波スイッチモジュール全体の消費電流を低減することができる。
【００８１】
次に、図４を参照して、本発明の第２の実施形態に係る無線装置について詳細に説明する。図４は、第２の実施形態の無線装置の構成を示すブロック図である。
図４に示すように、この実施形態の無線装置は、アンテナ１７、本発明の第１の実施形態に係る高周波スイッチモジュール１、ＰＣＳ方式の受信部３１、ＤＣＳ方式の受信部３２、ＤＣＳ方式およびＰＣＳ方式共通の送信部３３、ＥＧＳＭ方式の受信部３４、ＥＧＳＭ方式の送信部３５および送受信制御部３６を備えている。ＰＣＳ方式の受信部３１、ＤＣＳ方式の受信部３２およびＥＧＳＭ方式の受信部３４は、それぞれＰＣＳ方式、ＤＣＳ方式およびＥＧＳＭ方式の無線システム方式に対応した受信部であり、高周波スイッチモジュール１により切り替えられた受信信号を復調してスピーカなどに出力する作用をする。ＤＣＳ方式およびＰＣＳ方式共通の送信部３３、およびＥＧＳＭ方式の送信部３５は、マイクなどからの送信すべき送信信号を変調して高周波の送信信号として高周波スイッチモジュール１に入力する作用をする。
【００８２】
アンテナ１７は、ＰＣＳ方式、ＤＣＳ方式およびＥＧＳＭ方式に使用することができるマルチバンドアンテナである。なお、アンテナ１７は無線システム方式ごとに別個のアンテナとしてもよい。
送受信制御部３６は、送受信を切り替える制御信号を生成して高周波スイッチモジュール１のコントロール端子ＣＮＴＬ１乃至３に入力するとともに、各方式の受信部および送信部を制御する作用をする。
【００８３】
このように、この実施形態の無線装置によれば、第１の実施形態に係る高周波スイッチモジュール１を備えるので、最も周波数の高いＰＣＳ方式における受信信号の伝送損失を小さくすることができる。また、伝送損失の影響を受ける無線システムの受信経路を短くしたので、各無線方式の受信部設計を容易にすることができる。
【００８４】
さらに、この実施形態の無線装置によれば、第１の実施形態に係る高周波スイッチモジュール１を備えるので、送信信号の高調波を効果的に除去することができるとともに、高周波スイッチモジュールで発生する高調波、歪、イメージなどを除去することができる。また、この実施形態の無線装置によれば、無線装置全体の消費電力を抑えることができる。
【００８５】
なお、本発明は上記実施形態のみに限定されるものではない。上記第１の実施形態の高周波スイッチモジュールでは、移相線路部と一対のスイッチング素子部とを備えて構成したが、これに限定されるものではない。すなわち、無線周波数帯において動作する高周波スイッチであればどのような構成のスイッチを用いてもよい。
また、上記第１の実施形態の高周波スイッチモジュールでは、移相線路部に低域フィルタを用いているが、これにも限定されない。すなわち、送信信号の高調波成分を除去するとともに信号の位相を移相し、制御用の直流電流を通過させることができるものであれば、どのような構成のものでもよい。
さらに、上記第１の実施形態の高周波スイッチモジュールでは、第１のフィルタ部および第２のフィルタ部を、ＤＣＳ方式およびＰＣＳ方式共通の送信部と第２の高周波スイッチ部との間、ならびにＥＧＳＭ方式の送信部と第３の高周波スイッチ部との間に設けているが、これにも限定されない。すなわち、各々の方式の送信信号の伝送経路上であれば、どの位置に第１のフィルタ部および第２のフィルタ部が配置されていてもよい。
【００８６】
【発明の効果】
以上説明したように本発明によれば、特定の無線システム方式の受信部への信号を切り替える高周波スイッチをアンテナとダイプレクサの間に配置したので、送受信系を切り替える複数の無線システム方式のうち特定の無線システム方式の受信系について伝送損失を低減することができる。
【図面の簡単な説明】
【図１】本発明の第１の実施形態に係る高周波スイッチモジュールの全体構成を示す斜視図である。
【図２】この実施形態に係る高周波スイッチモジュールの回路構成を示すブロック図である。
【図３】この実施形態に係る高周波スイッチモジュールの原理的回路構成を示す回路図である。
【図４】本発明の第２の実施形態に係る無線装置の構成を示すブロック図である。
【図５】従来のトリプルバンド携帯電話装置におけるフロントエンド部を示すブロック図である。
【符号の説明】
１…高周波スイッチモジュール、２…基板、３…回路素子、４…パッド、５…金属キャップ用パッド、１１…第１の高周波スイッチ部、１２…第２の高周波スイッチ部、１３…第３の高周波スイッチ部、１４…ダイプレクサ、１５…第１のフィルタ部、１６…第２のフィルタ部、１７…アンテナ、１８…アンテナ接続線路、１９ａ…第１の線路、１９ｂ…第２の線路、１９ｃ…第３の線路、２１…移相線路部、２２ａ…第１のスイッチング素子部、２２ｂ…第２のスイッチング素子部、２３…移相線路部、２４ａ…第１のスイッチング素子部、２４ｂ…第２のスイッチング素子部、２５…移相線路部、２６ａ…第１のスイッチング素子部、２６ｂ…第２のスイッチング素子部、２７ａ…ＤＣＳ方式およびＰＣＳ方式共通の送信部、２７ｂ…ＤＣＳ方式の受信部、２７ｃ…ＰＣＳ方式の受信部、２８ａ…ＥＧＳＭ方式の送信部、２８ｂ…ＥＧＳＭ方式の受信部、３１…ＰＣＳ方式の受信部、３２…ＤＣＳ方式の受信部、３３…ＤＣＳ方式およびＰＣＳ方式共通の送信部、３４…ＥＧＳＭ方式の受信部、３５…ＥＧＳＭ方式の送信部、３６…送受信制御部、４１…高周波スイッチモジュール、４２…ダイプレクサ、４３…第１のフィルタ部、４４…第２のフィルタ部、４５…第１のスイッチ部、４６…第２のスイッチ部、４７…第３のスイッチ部、４８…アンテナ。
【図１】
2005033324.tif 000003
【図２】
2005033324.tif 000004
【図３】
2005033324.tif 000005
【図４】
2005033324.tif 000006
【図５】
2005033324.tif 000007